(57)【要約】【課題】コストの上昇を抑制しながら、ネットワークとの通信形態を適応的に選択可能な投写型表示装置を提供する。【解決手段】投写型表示装置は、ネットワークを介した通信を行うためのＬＡＮ信号処理回路部４０２と、ＬＡＮ信号処理回路部４０２よりも高度な処理機能を有する機能拡張ユニット５０に接続コネクタ４０３とを備えている。制御部４０７は、機能拡張ユニット５０が接続コネクタ４０３に接続されていなければ、ＬＡＮ信号処理回路部４０２を作動させる。一方、機能拡張ユニット５０の接続コネクタ４０３に接続されていれば、機能拡張ユニット５０を作動させる。【選択図】図３
2011077730.tif 000002
【特許請求の範囲】
【請求項１】
光源からの光を変調して被投写面上に投写する投写型表示装置において、
ネットワークを介した通信を行うための第１の通信処理手段と、
前記第１の通信処理手段よりも高度な処理機能を有する第２の通信処理手段を有する通信機器が接続されるインタフェースと、
前記第１の通信処理手段と前記通信機器に配された前記第２の通信処理手段の何れを用いてネットワークと通信を行うかを選択する選択手段と、を備える、
ことを特徴とする投写型表示装置。
【請求項２】
請求項１に記載の投写型表示装置において、
前記選択手段は、
前記通信機器が接続されていない場合は、前記第１の通信処理手段を選択し、
前記通信機器が接続された場合には、前記第２の通信処理手段を選択する、
ことを特徴とする投写型表示装置。
【請求項３】
請求項１または２に記載の投写型表示装置において、
前記第１の通信処理手段と前記第２の通信処理手段の何れをネットワークとの通信に用いるかの指示入力を受け付けるための受付手段をさらに備え、
前記選択手段は、
前記第１の通信処理手段を選択する指示入力が行われた場合は、前記第１の通信処理手段を選択し、
前記第２の通信処理手段を選択する指示入力が行われた場合には、前記第２の通信処理手段を選択する、
ことを特徴とする投写型表示装置。
【請求項４】
請求項１ないし３の何れか一項に記載の投写型表示装置において、
当該投写型表示装置がスタンバイ状態および運転状態にあるときに、前記第１の通信処理手段と第２の通信処理手段の何れを用いるかを設定するための設定手段をさらに備え、
前記選択手段は、前記スタンバイ状態および運転状態のときに、前記第１の通信処理手段と第２の通信処理手段のうち、前記設定手段により設定された方を選択する、
ことを特徴とする投写型表示装置。
【請求項５】
請求項１ないし４の何れか一項に記載の投写型表示装置において、
前記第１の通信処理手段および第２の通信処理手段へ電源供給を行うための電源供給手段を備え、
前記電源供給手段は、前記第１の通信処理手段および第２の通信処理手段のうち、前記選択手段によって選択されなかった方に対する電源供給を遮断する、
ことを特徴とする投写型表示装置。
【請求項６】
請求項１ないし請求項５の何れか一項に記載の投写型表示装置において、
前記第２の通信処理手段は、ネットワークを介して受信した通信信号から映像信号に応じた信号を抽出して処理する機能を有する、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
従来、ネットワークに接続可能な投写型表示装置（以下、「プロジェクタ」という）が開発されている。たとえば、特許文献１に記載のプロジェクタでは、ネットワークを介して外部機器（パーソナルコンピュータ等）から受信した映像信号を投写できるようになっている。
【０００３】
この場合、プロジェクタには、受信した通信信号から映像信号に応じたデジタルデータを抽出して処理するための回路部が必要となる。かかる回路部は、比較的高価であるため、プロジェクタ全体のコスト上昇を招く。
【０００４】
なお、プロジェクタがネットワークに接続される形態として、遠隔制御を目的とする形態が考えられる。この場合、プロジェクタは、ネットワークから制御信号を受信できれば良く、また、ネットワークに対し、プロジェクタの状態等を示す信号を送信できれば良い。この形態では、通信信号から映像信号に応じたデジタルデータを抽出して処理するための回路部が必要とならないため、上記に比べ、プロジェクタ全体のコスト上昇を抑えることができる。
【先行技術文献】
【特許文献】
【０００５】
【特許文献１】特開２００３−０９８５９４号公報
【発明の概要】
【発明が解決しようとする課題】
【０００６】
上記２つの形態のうち、何れを望むかは、ユーザによるところとなる。このため、プロジェクタは、ユーザが望む場合に、これに円滑に対応できるための構成を、極力、コストの上昇を抑制しながら、適応的に備えておくのが望ましい。
【０００７】
本発明は、かかる課題に鑑みてなされたものであり、コストの上昇を抑制しながら、ネットワークとの通信形態を適応的に選択可能な投写型表示装置を提供することを目的とする。
【課題を解決するための手段】
【０００８】
本発明は、光源からの光を変調して被投写面上に投写する投写型表示装置に関する。本発明に係る投写型表示装置は、ネットワークを介した通信を行うための第１の通信処理手段と、前記第１の通信処理手段よりも高度な処理機能を有する第２の通信処理手段を有する通信機器が接続されるインタフェースと、前記第１の通信処理手段と前記通信機器に配された前記第２の通信処理手段の何れを用いてネットワークと通信を行うかを選択する選択手段とを備える。
【０００９】
本発明に係る投写型表示装置によれば、第１の通信処理手段による通信形態と、第２の通信処理手段による通信形態とをユーザが適宜選択できる。また、第２の通信処理手段は、外付けの通信機器に配されており、投写型表示装置には配されていないため、第２の通信処理手段によるコスト上昇が、投写型表示装置において生じることはない。このように、本発明によれば、コストの上昇を抑制しながら、ネットワークとの通信形態を適応的に選択可能な投写型表示装置を提供できる。
【００１０】
本発明に係る投写型表示装置において、前記選択手段は、前記通信機器が接続されていない場合は、前記第１の通信処理手段を選択し、前記通信機器が接続された場合には、前記第２の通信処理手段を選択するよう構成され得る。この構成によれば、ユーザは、通信機器を装着するのみで、当該通信機器を媒介した第２の通信処理手段による通信を行うことができる。
【００１１】
本発明に係る投写型表示装置は、前記第１の通信処理手段と前記第２の通信処理手段の何れをネットワークとの通信に用いるかの指示入力を受け付けるための受付手段をさらに備える構成とされ得る。この場合、前記選択手段は、前記第１の通信処理手段を選択する指示入力が行われた場合は、前記第１の通信処理手段を選択し、前記第２の通信処理手段を選択する指示入力が行われた場合には、前記第２の通信処理手段を選択するよう構成され得る。こうすると、ユーザは、第１の通信処理手段と第２の通信処理手段の何れを用いてネットワークとの通信を行うかを任意に設定することができる。
【００１２】
また、本発明に係る投写型表示装置は、当該投写型表示装置がスタンバイ状態および運転状態にあるときに、前記第１の通信処理手段と第２の通信処理手段の何れを用いるかを設定するための設定手段をさらに備える構成とされ得る。この場合、前記選択手段は、前記スタンバイ状態および運転状態のときに、前記第１の通信処理手段と第２の通信処理手段のうち、前記設定手段により設定された方を選択するよう構成される。こうすると、ユーザは、第１の通信処理手段と第２の通信処理手段の何れを用いてネットワークとの通信を行うかを、より細かく設定することができる。
【００１３】
本発明に係る投写型表示装置は、前記第１の通信処理手段および第２の通信処理手段へ電源供給を行うための電源供給手段を備える。この場合、前記電源供給手段は、前記第１の通信処理手段および第２の信処理手段のうち、前記選択手段によって選択されなかった方に対する電源供給を遮断するよう構成され得る。こうすると、ネットワークとの通信に用いない通信処理手段による電力消費が抑制されるため、投写型表示装置の消費電力を削減することができる。
【００１４】
なお、本発明に係る投写型表示装置において、前記第２の通信処理手段は、ネットワークを介して受信した通信信号から映像信号に応じた信号を抽出して処理する機能を有する構成とされ得る。こうすると、ユーザは、適宜、通信機器を接続することにより、ネットワークを介した映像の投写を行うことができる。
【発明の効果】
【００１５】
以上のとおり、本発明によれば、コストの上昇を抑制しながら、ネットワークとの通信形態を適応的に選択可能な投写型表示装置を提供することができる。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係るプロジェクタの構成を示す図である。
【図２】実施の形態に係る光学エンジンの構成を示す図である。
【図３】実施の形態に係るＬＡＮを介した外部機器との通信に関連するプロジェクタの要部の構成を示す回路ブロック図である。
【図４】実施の形態に係る機能拡張ユニットの構成を示す回路ブロック図である。
【図５】実施の形態に係るＬＡＮ信号処理回路部および機能拡張ユニットに対する電源供給制御処理を示すフローチャートである。
【図６】変更例１に係る通信機能の設定処理について説明するための図である。
【図７】変更例１に係る通信機能設定画面の表示例を示す図である。
【図８】変更例１に係るＬＡＮ信号処理回路部および機能拡張ユニットに対する電源供給制御処理を示すフローチャートである。
【図９】変更例２に係る通信機能の設定処理を示すフローチャートである。
【図１０】変更例２に係るＬＡＮ信号処理回路部および機能拡張ユニットに対する電源供給制御処理を示すフローチャートである。
【図１１】変更例３に係る通信機能の設定処理を示すフローチャートである。
【図１２】変更例４に係るＬＡＮ信号処理回路部および機能拡張ユニットに対する電源供給制御処理を示すフローチャートである。
【発明を実施するための形態】
【００１８】
以下、図面を参照して、実施の形態に係るプロジェクタについて説明する。
【００１９】
図１は、プロジェクタの構成を示す外観斜視図である。同図を参照して、プロジェクタは、横長の略直方体形状を有するキャビネット１０を備えている。キャビネット１０には、前面左側に投写窓１０１が形成されており、前面右側および右側面にキャビネット１０内部から排気を行うための排気口１０２、１０３がそれぞれ形成されている。また、キャビネット１０の上面には、複数の操作ボタンが配された操作部１０４が設けられている。
【００２０】
キャビネット１０の内部には、光学エンジン２０および投写レンズ３０が配されている。光学エンジン２０は、映像信号により変調された映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーン面に拡大投写する。
【００２１】
図２は、光学エンジン２０の構成を示す図である。
【００２２】
同図の如く、光学エンジン２０は、光源２０１と、導光光学系２０２と、３つの透過型の液晶パネル２０３、２０４、２０５と、ダイクロイックプリズム２０６とを備えている。なお、液晶パネル２０３、２０４、２０５の入射側と出射側には図示しない偏光板が配されている。
【００２３】
光源２０１から出射された白色光は、導光光学系２０２によって赤色波長帯の光（以下、「Ｒ光」という）と、緑色波長帯の光（以下、「Ｇ光」という）と、青色波長帯の光（以下、「Ｂ光」という）に分離され、液晶パネル２０３、２０４、２０５に照射される。これら液晶パネル２０３、２０４、２０５によって変調されたＲ光、Ｇ光、Ｂ光は、ダイクロイックプリズム２０６によって色合成され、映像光として出射される。
【００２４】
なお、光学エンジン２０を構成する光変調素子としては、上記透過型の液晶パネル２０３、２０４、２０５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００２５】
本実施のプロジェクタでは、ＬＡＮ（Local Area Network）を介してパーソナルコンピュータ等の外部機器と通信を行うことが可能であり、そのための構成が備えられている。
【００２６】
図３は、ＬＡＮを介した外部機器との通信に関連するプロジェクタの要部構成を示す回路ブロック図である。
【００２７】
プロジェクタは、ＬＡＮコネクタ４０１と、ＬＡＮ信号処理回路部４０２と、接続コネクタ４０３と、デジタル通信信号処理回路部４０４と、映像信号処理部４０５と、パネル駆動制御部４０６と、制御部４０７と、電源部４０８と、入力部４０９と、メモリ４１０とを備えている。
【００２８】
ＬＡＮ信号処理回路部４０２が使用される場合、ＬＡＮコネクタ４０１には、ＬＡＮによる通信を行うためのＬＡＮケーブルが接続される。
【００２９】
ＬＡＮからの通信信号は、ＬＡＮコネクタ４０１を介してＬＡＮ信号処理回路部４０２に入力される。このときのＬＡＮからの通信信号は、外部機器から出力されたプロジェクタを遠隔操作するための制御信号を含んでいる。ＬＡＮ信号処理回路部４０２は、ＬＡＮからの通信信号に対して復号化等の処理を行い、プロジェクタ側で処理できるデジタルの通信信号に変換して制御部４０７へ出力する。
【００３０】
接続コネクタ４０３には、機能拡張ユニット５０が接続される。機能拡張ユニット５０は、プロジェクタと別の機器として構成されている。
【００３１】
図４は、機能拡張ユニット５０の構成を示す回路ブロック図である。
【００３２】
機能拡張ユニット５０は、ＬＡＮコネクタ５０１と、ＬＡＮ信号処理回路部５０２と、デジタル通信信号処理回路部５０３と、制御部５０４と、接続コネクタ５０５とを備えている。
【００３３】
機能拡張ユニット５０が使用される場合、ＬＡＮコネクタ５０１に、ＬＡＮ通信を行うためのＬＡＮケーブルが接続される。
【００３４】
ＬＡＮからの通信信号は、ＬＡＮコネクタ５０１を介してＬＡＮ信号処理回路部５０２に入力される。このときのＬＡＮからの通信信号は、外部機器から出力されたプロジェクタを遠隔操作するための制御信号を含んでいる。さらには、外部機器から出力された映像信号や映像表示に用いられる制御信号を含んでいる。ＬＡＮ信号処理回路部５０２は、ＬＡＮからの通信信号に対して復号化等の処理を行い、デジタル通信信号処理回路部５０３で処理できるデジタルの通信信号に変換してデジタル通信信号処理回路部５０３へ出力する。
【００３５】
デジタル通信信号処理回路部５０３は、入力されたデジタル通信信号から映像信号を抽出する。そして、抽出した映像信号をプロジェクタ側のデジタル通信信号処理回路部４０４との通信に適した伝送方式、たとえばＬＶＤＳ（Low voltage differential signaling）方式の映像信号に変換し、接続コネクタ５０５へ出力する
また、デジタル通信信号処理回路部５０３は、入力されたデジタル通信信号から制御信号を抽出し、制御部５０４へ出力する。
【００３６】
制御部５０４は、信号処理が適正に実行されるよう、ＬＡＮ信号処理回路部５０２およびデジタル信号処理回路部５０３を制御する。また、デジタル通信信号処理回路部５０３から入力された制御信号を接続コネクタ５０５へ出力する。
【００３７】
接続コネクタ５０５は、プロジェクタ側の接続コネクタ４０３に専用ケーブル等で接続されており、入力された映像信号および制御信号を接続コネクタ４０３に伝送する。
【００３８】
図３に戻り、機能拡張ユニット５０からの映像信号は、接続コネクタ４０３を介してデジタル通信信号処理回路部４０４に入力される。デジタル通信信号処理回路部４０４は、入力された映像信号をＲＧＢに対応したデジタルの映像信号に変換して映像信号処理部４０５へ出力する。
【００３９】
映像信号処理部４０５は、入力された映像信号からＲＧＢの各液晶パネル２０３、２０４、２０５を駆動するための駆動信号を生成し、パネル駆動制御部４０６へ出力する。パネル駆動制御部４０６は、各駆動信号に従って対応する液晶パネル２０３、２０４、２０５を駆動する。
【００４０】
機能拡張ユニット５０からの制御信号は、接続コネクタ４０３を介して制御部４０７に入力される。
【００４１】
制御部４０７は、ＬＡＮ信号処理回路部４０２あるいは機能拡張ユニット５０から遠隔操作のための制御信号が入力されると、制御信号に従って各種の制御を実行する。たとえば、制御信号が運転開始を指示する信号であれば、スタンバイ状態にあるプロジェクタの運転を開始し、運転停止を指示する信号であれば、運転状態にあるプロジェクタの運転を停止する。
【００４２】
また、制御部４０７は、機能拡張ユニット５０から映像表示に用いられる制御信号が入力されると、これに従って、デジタル通信信号処理回路部４０４と映像信号処理部４０５とパネル駆動制御部４０６との間の同期を取る等の処理を行う。
【００４３】
さらに、制御部４０７は、プロジェクタの状態に係る情報、たとえば、プロジェクタの運転状況（運転状態か、スタンバイ状態か）、光源の出力情報（通常モードで点灯か、省エネモードで点灯か）、光源の温度情報等の取得を指示する制御信号が入力されると、これら情報を取得する。
【００４４】
制御部４０７は、ＬＡＮ信号処理回路部４０２が作動している場合には、取得したプロジェクタの状態に係る情報信号をＬＡＮ信号処理回路部４０２に出力する。ＬＡＮ信号処理回路部４０２は、入力した情報信号に対し符号化等の処理を行ってＬＡＮで伝送できる通信信号に変換し、ＬＡＮコネクタ４０１を介してＬＡＮへ出力する。
【００４５】
一方、制御部４０７は、機能拡張ユニット５０が作動している場合には、上記情報信号をデジタル通信信号処理回路部４０４へ出力する。
【００４６】
デジタル通信信号処理回路部４０４は、入力された情報信号を拡張ユニット５０側のデジタル通信信号処理回路部５０３との通信に適した伝送方式、たとえばシリアル方式の情報信号に変換し、２つの接続コネクタ４０３、５０５を介してデジタル通信処理回路部５０３へ送る。
【００４７】
デジタル通信処理回路部５０３は入力された情報信号をＬＡＮ信号処理回路５０２で処理できる情報信号に変換し、制御部５０４を介してＬＡＮ信号処理回路５０２へ送る。ＬＡＮ信号処理回路５０２は、入力された情報信号に対し符号化等の処理を行ってＬＡＮで伝送できる通信信号に変換し、ＬＡＮコネクタ５０１を介してＬＡＮへ出力する。
【００４８】
こうして、プロジェクタの状態に係る情報信号が、ＬＡＮを介して外部機器へ送られる。
【００４９】
電源部４０８は、ＬＡＮ信号処理回路４０２へ電源供給を行う。また、接続コネクタ４０３を介して機能拡張ユニット５０へ電源供給を行う。電源部４０８は、この他、制御部４０７などの各部や光源２０１へ電源供給を行う。なお、図３には、便宜上、ＬＡＮ信号処理回路４０２と機能拡張ユニット５０への供給ラインのみが矢印で示されている。
【００５０】
機能拡張ユニット５０が接続コネクタ４０３に接続された状態にあるときには、これを示す接続信号が、機能拡張ユニット５０から接続コネクタ４０３を介して制御部４０７へ出力される。制御部４０７は、接続信号の有無によって機能拡張ユニット５０の接続の有無を判定する。
【００５１】
入力部４０９からは、操作部１０４のキー操作に基づく制御信号やリモコン（図示せず）のキー操作に基づく制御信号が制御部４０７へ出力される。ユーザは、操作部１０４やリモコンのキー操作を行うことにより、プロジェクタに通信機能を持たせるか（以下、「通信機能の有無」という）を設定することができる。制御部４０７は、通信機能の有無の設定がなされると、その結果をメモリ４１０に保持させる。
【００５２】
制御部４０７は、通信機能の有無の設定および機能拡張ユニット５０の接続の有無に基づいて電源部４０８を制御する。なお、電源部４０８に対する制御については、追って図５を参照して説明する。
【００５３】
なお、制御部４０７は、メモリ４１０に接続されている。メモリ４１０には、制御部４０７に制御機能を付与するための制御プログラムが記憶されている。制御部４０７は、ＣＰＵを備え、かかる制御プログラムに従って各部を制御する。また、メモリ４１０には、入力部４０９を介してユーザにより設定された各種設定情報が記憶される。
【００５４】
図５は、ＬＡＮ信号処理回路部４０２および機能拡張ユニット５０に対する電源供給制御処理を示すフローチャートである。
【００５５】
制御部４０７は、まず、通信機能の有無を判定する（Ｓ１０１）。ユーザは、ＬＡＮを介した外部機器との通信を行う場合、キー操作によって「通信機能あり」の設定を行う。一方、外部機器との通信を行わない場合、キー操作によって「通信機能なし」の設定を行う。
【００５６】
制御部４０７は、「通信機能なし」に設定されていれば（Ｓ１０１：ＮＯ）、ＬＡＮ信号処理回路部４０２および機能拡張ユニット５０の双方へ電源供給を行わないよう電源部４０８を制御する（Ｓ１０２）。
【００５７】
一方、制御部４０７は、「通信機能あり」に設定されていれば（Ｓ１０１：ＹＥＳ）、次に、機能拡張ユニット５０が接続されているか否を判定する（Ｓ１０３）。
【００５８】
プロジェクタの遠隔操作や状態監視のみを目的として、プロジェクタと外部機器とがＬＡＮ接続される場合には、プロジェクタに内蔵されたＬＡＮ信号処理回路部４０２のみで通信が可能であるため、通常、機能拡張ユニット５０は接続されない。
【００５９】
制御部４０７は、ステップＳ１０３で機能拡張ユニット５０が接続されていないと判定すると（Ｓ１０３：ＮＯ）、ＬＡＮ信号処理回路部４０２へ電源供給を行うよう電源部４０８を制御する。同時に、制御部４０８は、接続コネクタ４０３を介した機能拡張ユニット５０への電源供給を行わないよう電源部４０８を制御する（Ｓ１０４）。
【００６０】
これにより、ＬＡＮ信号処理回路部４０２が作動し、前述のように、ＬＡＮ信号処理回路部４０２を通じて、遠隔操作のための制御信号およびプロジェクタの状態に係る情報信号が送受信される。
【００６１】
一方、プロジェクタの遠隔操作や状態監視に加えて、外部機器から出力された映像をプロジェクタに投写させることを目的として、プロジェクタと外部機器とがＬＡＮ接続される場合には、プロジェクタに内蔵されたＬＡＮ信号処理回路部４０２のみでは映像信号の通信ができないため、ユーザにより、機能拡張ユニット５０が接続される。
【００６２】
制御部４０７は、ステップＳ１０３で機能拡張ユニット５０が接続されていると判定すると（Ｓ１０３：ＹＥＳ）、接続コネクタ４０３を介して機能拡張ユニット５０へ電源供給を行い、ＬＡＮ信号処理回路部４０２へは電源供給を行わないよう電源部４０８を制御する（Ｓ１０５）。
【００６３】
これにより、機能拡張ユニット５０が作動し、前述のように、機能拡張ユニット５０を通じて、映像信号や遠隔操作のための制御信号、プロジェクタの状態に係る情報信号が送受信される。
【００６４】
これらステップＳ１０１からＳ１０５の処理は、プロジェクタに電源が供給され、制御部４０７が作動している間、繰り返し実行される。
【００６５】
以上説明したように、本実施の形態では、ＬＡＮを介して受信する信号の種別に応じて、ユーザが、プロジェクタに内蔵されたＬＡＮ信号処理回路部４０２を使用するか、あるいは機能拡張ユニット５０を使用するかを選択することができる。
【００６６】
よって、ＬＡＮ信号処理回路部４０２のみで通信が可能の場合には、機能拡張ユニット５０を用いなくて済むので、ユーザは機能拡張ユニット５０の接続作業を行ったり、機能拡張ユニット５０を店頭等で入手したりする手間がいらない。また、ＬＡＮ信号処理回路部４０２に要する消費電力は、機能拡張ユニット５０に要する消費電力より小さくて済むので、プロジェクタの消費電力を低減することができる。
【００６７】
さらに、プロジェクタには、主としてＬＡＮ信号処理回路部４０２が配されるだけであるため、機能拡張ユニット５０と同じ機能をプロジェクタ内部で実現する場合に比べて、プロジェクタ本体のコストを低減することができる。
【００６８】
＜変更例１＞
上記実施の形態では、機能拡張ユニット５０のプロジェクタへの接続の有無によって、ＬＡＮ信号処理回路部４０２を使用するか、機能拡張ユニット５０を使用するかを選択する構成としている。これに対し、本変更例では、ユーザが操作部１０４やリモコンを用いた操作入力を行うことによって、ＬＡＮ信号処理回路部４０２を使用するか、機能拡張ユニット５０を使用するかが選択される。
【００６９】
図６（ａ）は、変更例１に係る通信機能の設定処理を示すフローチャートである。また、図６（ｂ）は、変更例１に係る設定項目に対応する設定データを示す図である。さらに、図７は、変更例１に係る通信機能設定画面の表示例を示す図である。
【００７０】
ユーザによって通信機能設定画面を表示するキー操作が行われると、制御部４０７は、スクリーンに通信機能設定画面を表示させる（Ｓ２１１）。このとき、機能拡張ユニット５０が接続されていなければ、図７（ａ）に示すように、画面には「通信機能なし」または「ＬＡＮ信号処理回路部」の何れを選択するかが表示される。一方、機能拡張ユニット５０が接続されていれば、図７（ｂ）に示すように、画面には「通信機能なし」、「ＬＡＮ信号処理回路部」、「機能拡張ユニット」の何れを選択するかが表示される。ユーザは、通信機能設定画面において所望の項目を選択する。たとえば、図７の画面のように、ハイライト表示を所望の項目に移動させ、決定の操作を行う。
【００７１】
制御部４０７は、「通信機能なし」が選択されると（Ｓ２１２：ＹＥＳ）、通信機能なしとする設定を行う（Ｓ２１４）。この場合、図６（ｂ）に示すように、設定データ「０」がメモリ４１０の所定記憶領域に記憶される。また、制御部４０７は、「ＬＡＮ信号処理回路部」が選択されると（Ｓ２１３：ＮＯ）、ＬＡＮ信号処理回路部４０２を使用する設定を行う（Ｓ２１５）。この場合、図６（ｂ）に示すように、設定データ「１」がメモリ４１０の所定記憶領域に記憶される。さらに、制御部４０７は、「機能拡張ユニット」が選択されると（Ｓ２１３：ＹＥＳ）、機能拡張ユニット５０を使用する設定を行う（Ｓ２１６）。この場合、図６（ｂ）に示すように、設定データ「２」がメモリ４１０の所定記憶領域に記憶される。
【００７２】
図８は、変更例１に係るＬＡＮ信号処理回路部４０２および機能拡張ユニット５０に対する電源供給制御処理を示すフローチャートである。
【００７３】
制御部４０７は、まず、メモリ４１０に記憶された設定データを確認する（Ｓ１１１）。そして、設定データが何れであるかを判定する（Ｓ１１２）。設定データが「０」、即ち通信機能なしの設定であれば、制御部４０７は、ＬＡＮ信号処理回路部４０２および機能拡張ユニット５０の双方へ電源供給を行わないよう電源部４０８を制御する（Ｓ１１３）。また、設定データが「１」、即ちＬＡＮ信号処理回路部４０２を使用する設定であれば、ＬＡＮ信号処理回路部４０２へ電源供給を行い、機能拡張ユニット５０へ電源供給を行わないよう電源部４０８を制御する（Ｓ１１４）。さらに、設定データが「２」、即ち機能拡張ユニット５０を使用する設定であれば、機能拡張ユニット５０へ電源供給を行い、ＬＡＮ信号処理回路部４０２へ電源供給を行わないよう電源部４０８を制御する（Ｓ１１５）。
【００７４】
制御部４０７が作動している間、上記ステップＳ１１１からＳ１１５の処理が繰り返される。
【００７５】
このように変更例１の構成としても、上記実施の形態と同様の効果を奏することができる。また、変更例１によれば、使用される通信処理部をユーザが任意に設定できるため、ユーザの利便性を高めることができる。
【００７６】
＜変更例２＞
プロジェクタに電源が供給されると、制御部４０７およびその他必要な回路部が起動して、プロジェクタはスタンバイ状態となる。その後、操作部１０４やリモコンにある電源スイッチが押されると、運転が開始され、ランプや液晶パネルが駆動されて、映像の投写が開始される。
【００７７】
上記変更例１では、スタンバイ時や運転時に分けて通信機能の設定を行うことができない。
【００７８】
しかし、スタンバイ時と運転時とで、通信される信号の種別が異なる場合がある。たとえば、ＬＡＮを介して映像信号がプロジェクタに伝送される使用形態の場合、運転時には、映像信号や遠隔操作のための制御信号、プロジェクタの状態に係る情報信号の通信が行われ得るが、スタンバイ時には、映像信号の通信は行われない。
【００７９】
そこで、変更例２では、スタンバイ時と運転時とで、それぞれ通信機能の設定を行うことができる構成としている。
【００８０】
図９は、変更例２に係る通信機能の設定処理を示すフローチャートである。
【００８１】
ユーザによって通信機能設定画面を表示するキー操作が行われると、制御部４０７は、スタンバイ時の設定が行われたかを判定する（Ｓ２２１）。スタンバイ時の設定が未だのとき（Ｓ２２１：ＮＯ）、制御部４０７は、まず、スクリーンにスタンバイ時の設定を行うための通信機能設定画面を表示させる（Ｓ２２２）。このとき、通信機能設定画面は、図７と同様であるが、さらに、適宜、スタンバイ時の設定である旨の表示が追加される。ユーザは、スタンバイ時の設定として希望する項目を選択する。
【００８２】
制御部４０７は、この画面において「通信機能なし」が選択されると（Ｓ２２３：ＹＥＳ）、通信機能なしとする設定を行う（Ｓ２２５）。また、「ＬＡＮ信号処理回路部」が選択されると（Ｓ２２４：ＮＯ）、ＬＡＮ信号処理回路部４０２を使用する設定を行い（Ｓ２２６）、「機能拡張ユニット」が選択されると（Ｓ２２４：ＹＥＳ）、機能拡張ユニット５０を使用する設定を行う（Ｓ２２７）。
【００８３】
設定項目に対応する設定データについては、変更例１と同様であり、図６（ｂ）に示す通りである。ユーザによって項目が選択されると、それに対応する設定データ（「０」、「１」、「２」）がメモリ４１０のスタンバイ時のための記憶領域に記憶される。
【００８４】
こうして、スタンバイ時の設定が完了すると（Ｓ２２８：ＮＯ→Ｓ２２１：ＹＥＳ）、制御部４０８は、次に、運転時の設定を行うための通信機能設定画面を表示させる（Ｓ２２９）。この通信機能設定画面も、図７と同様であり、適宜、運転時の設定である旨の表示が追加される。
【００８５】
スタンバイ時と同様に設定が行われると（Ｓ２２３〜Ｓ２２７）、選択された項目に対応する設定データ（「０」、「１」、「２」）がメモリ４１０の運転時のための記憶領域に記憶される。こうして、スタンバイ時と運転時に用いる通信処理部の設定が完了する。
【００８６】
図１０は、変更例２に係るＬＡＮ信号処理回路部４０２および機能拡張ユニット５０に対する電源供給制御処理を示すフローチャートである。
【００８７】
制御部４０７は、まず、プロジェクタがスタンバイ状態であるか運転状態であるかを判定する（Ｓ１２１）。そして、スタンバイ状態であれば（Ｓ１２１：ＹＥＳ）、スタンバイ時の設定データを確認し（Ｓ１２２）、その設定データに従って、変更例１と同様に、電源部４０８を制御する（Ｓ１２４〜Ｓ１２７）。
【００８８】
一方、運転状態であれば（Ｓ１２１：ＮＯ）、運転時の設定データを確認し（Ｓ１２３）、その設定データに従って電源部４０８を制御する（Ｓ１２４〜Ｓ１２７）。
【００８９】
このように、変更例２の構成とすれば、ＬＡＮを介して受信する信号の種別に応じて、ユーザが、プロジェクタに内蔵されたＬＡＮ信号処理回路部４０２を使用するか、あるいは機能拡張ユニット５０を使用するかを、より詳細に選択することができる。
【００９０】
たとえば、上述のように、映像信号の受信に対応するため拡張機能ユニット５０が接続されている場合でも、スタンバイ時に映像信号を受信することは起こりにくい。また、ＬＡＮ信号処理回路部４０２の使用時の消費電力は、機能拡張ユニット５０の使用時の消費電力より小さい。
【００９１】
よって、この場合、ユーザによってスタンバイ時にはＬＡＮ信号処理回路部４０２を使用し、運転時には機能拡張ユニット５０を使用する、という設定がなされ得る。このような設定が行われると、スタンバイ時には、ＬＡＮ信号処理回路部４０２に電源供給が行われて、ＬＡＮ信号処理回路部４０２が作動し、運転時には、機能拡張ユニット５０に電源供給が行われて、機能拡張ユニット５０が作動する。
【００９２】
このようにすれば、常に機能拡張ユニット５０に電源供給が行われる場合に比べて、プロジェクタの消費電力を低減することができる。
【００９３】
＜変更例３＞
図１１は、変更例３に係る通信機能の設定処理を示すフローチャートである。
【００９４】
上記変更例１および変更例２では、操作入力のみによって通信機能の設定が行われる構成としているが、本変更例では、最初に機能拡張ユニット５０の接続の有無に基づく設定が行われ、その後、操作入力によって設定変更が可能となっている。
【００９５】
即ち、制御部４０７は、まず、機能拡張ユニット５０が接続されているか否かを判定する（Ｓ２３１）。そして、機能拡張ユニット５０が接続されていなければ（Ｓ２３１：ＮＯ）、ＬＡＮ信号処理回路部４０２を使用する設定を行う。一方、機能拡張ユニット５０が接続されていれば（Ｓ２３１：ＹＥＳ）、ＬＡＮ信号処理回路部４０２を使用する設定を行う。
【００９６】
ユーザは、先になされた設定を変更したい場合には、通信機能設定画面を表示するためのキー操作を行う（Ｓ２３４：ＹＥＳ）。
【００９７】
これにより、制御部４０７は、上記キー操作が行われたと判定すると、図６に示す、操作入力による通信機能の設定処理（Ｓ２１１〜Ｓ２１６）を実行する（Ｓ２３５）。
【００９８】
このように、変更例３の構成とすれば、最初に機能拡張ユニット５０が接続の有無に基づいて自動設定がなされるので、ユーザは、この設定を変更したい場合にのみ操作入力を行えば良く、設定が容易となる。
【００９９】
なお、ステップＳ２３５では、図６の設定処理に替えて、図９の設定処理が実行されてもよい。この場合、ステップＳ２３２では、スタンバイ時と運転時の双方の設定データがＬＡＮ信号処理回路部４０２を使用する設定（「１」）とされ、ステップＳ２３３では、スタンバイ時と運転時の双方の設定データが機能拡張ユニット５０を使用する設定（「２」）とされる。
【０１００】
＜変更例４＞
図１２は、変更例４に係るＬＡＮ信号処理回路部４０２および機能拡張ユニット５０に対する電源供給制御処理を示すフローチャートである。
【０１０１】
本変更例では、上記実施の形態のように、機能拡張ユニット５０の接続の有無に基づいてＬＡＮ信号処理回路部４０２または機能拡張ユニット５０が自動的に選択されるモードと、変更例１や変更例２のように、ユーザの操作入力による設定に基づいてＬＡＮ信号処理回路部４０２または機能拡張ユニット５０が選択されるモードのどちらを実行するかをユーザが設定できる構成としている。
【０１０２】
変更例４の構成では、ユーザよって予め通信機能の自動設定のオン・オフが設定される。
【０１０３】
制御部４０７は、自動設定がオンに設定されている場合（Ｓ３０１：ＹＥＳ）、上記実施の形態と同様、図５に示す電源供給制御を実行する（Ｓ３０２）。一方、制御部４０７は、自動設定がオフに設定されている場合（Ｓ３０１：ＮＯ）、上記変更例１と同様、図８に示す電源供給制御を実行する（Ｓ３０３）。あるいは、制御部４０７は、自動設定がオフに設定されている場合（Ｓ３０１：ＮＯ）、変更例２と同様、図１１に示す電源供給制御を実行する（Ｓ３０３）。
【０１０４】
このように、変更例４の構成とすれば、ユーザはＬＡＮ信号処理回路部４０２または機能拡張ユニット５０を選択するための方法を自由に設定することができる。
【０１０５】
＜その他＞
本発明の実施形態は、上記以外にさらに種々の変更が可能である。
【０１０６】
たとえば、上記実施の形態では、有線ＬＡＮを介して外部機器とプロジェクタとが接続されているが、これに限らず、無線ＬＡＮあるいはその他のネットワークを介して外部機器とプロジェクタとが接続されてもよい。
【０１０７】
また、本発明の第１の通信処理手段および第２の通信処理手段の組み合わせは、上記実施の形態に例示したものに限られるものではない。たとえば、第１の通信処理手段として、有線ＬＡＮに対応する信号処理回路部がプロジェクタに配され、第２の通信処理手段として、無線ＬＡＮに対応する信号処理回路部が機能拡張ユニット５０に配されていても良い。無線ＬＡＮでは、信号を無線で伝送する機能が必要となるため、無線ＬＡＮに対応する信号処理回路部は、ＬＡＮ信号処理回路部よりも高度な機能を有することとなる。
【０１０８】
また、第２の処理通信手段として、光通信に対応する信号処理回路部が機能拡張ユニット５０に配されていてもよい。光通信では、電気信号を光信号に変換する機能が必要となるため、光通信に対応する信号処理回路部は、ＬＡＮ信号処理回路部よりも高度な機能を有することとなる。
【０１０９】
この他、本発明の実施の形態は、特許請求の範囲に示された技術的思想の範囲内において、適宜、種々の変更が可能である。
【符号の説明】
【０１１０】
５０    機能拡張ユニット（通信機器）
４０１  ＬＡＮコネクタ（第１の通信処理手段）
４０２  ＬＡＮ信号処理回路部（第１の通信処理手段）
４０３  接続コネクタ（インタフェース）
４０７  制御部（選択手段、設定手段、受付手段）
４０８  電源部(電源供給手段)
４０９  入力部(受付手段、設定手段)
５０１  ＬＡＮコネクタ（第２の通信処理手段）
５０２  ＬＡＮ信号処理回路部（第２の通信処理手段）
５０３  デジタル通信信号処理回路部（第２の通信処理手段）
【図１】
2011077730.tif 000003
【図２】
2011077730.tif 000004
【図３】
2011077730.tif 000005
【図４】
2011077730.tif 000006
【図５】
2011077730.tif 000007
【図６】
2011077730.tif 000008
【図７】
2011077730.tif 000009
【図８】
2011077730.tif 000010
【図９】
2011077730.tif 000011
【図１０】
2011077730.tif 000012
【図１１】
2011077730.tif 000013
【図１２】
2011077730.tif 000014